(57)【要約】 【課題】  扉が中途半端に閉じる恐れがないこと。【解決手段】  錠箱にラッチを設け、該ラッチに係止レバーの制御歯車と噛合するラックを有するラッチホルダーを一体的に取り付け、開扉時、ラッチは、ラッチバネのバネ力に抗して後退すると、ラッチホルダーの後退動に対応して回転する係止レバーの係合歯がトリガーの係止爪に係合し、閉扉時、ストライク側の固定磁性体にトリガーの可動磁性体が対峙すると、トリガーが磁気力によって係止解除の方向へ回転して係止レバーを離し、これによりラッチはラッチバネのバネ力により進出してストライクに係合する建具用錠。【選択図】  図１
2005350898.tif 000002
【特許請求の範囲】
【請求項１】
ストライク側に固定側の磁性体を設け、一方、錠箱内に、前記磁性体の極性に対応して反発又は吸着し合う可動側の磁性体を有するトリガー及び該トリガーの係合部と係脱可能な係合歯を有する係止レバーとをそれぞれ軸支した建具用錠に於いて、前記錠箱にラッチを設け、該ラッチに前記係止レバーの制御歯車と噛合するラックを有するラッチホルダーを一体的に取り付け、開扉時、前記ラッチは、ラッチバネのバネ力に抗して後退すると、ラッチホルダーの後退動に対応して回転する係止レバーの係合歯がトリガーの係止爪に係合し、閉扉時、ストライク側の固定磁性体にトリガーの可動磁性体が対峙すると、トリガーが磁気力によって係止解除の方向へ回転して係止レバーを離し、これによりラッチはラッチバネのバネ力により進出してストライクに係合することを特徴とする建具用錠。
【請求項２】
請求項１に於いて、ラッチは反転ラッチであり、該反転ラッチは、ラッチホルダーに案内される垂直ガイドピンに巻装された第１ラッチバネのバネ力に抗して回転すると共に、ラッチホルダーとラッチ枠の後壁との間に設けられた第２ラッチバネのバネ力に抗して後退動することを特徴とする建具用錠。
【請求項３】
請求項１に於いて、トリガーは、ラッチが引っ込んだ時、係止レバーの係合歯と係合する鉤状第１係止爪１７と、該第１係止爪に対して所定間隔離間する小突片状の第２係止爪１８を有することを特徴とする建具用錠。
【請求項４】
請求項１又は請求項２に於いて、反転ラッチは、操作部材の操作により、錠箱内に入り込んでいる押圧片が移動すると、該押圧片と連係するようにラッチ枠の後壁に沿って配設された駆動片を介してロッキングピースがロック解除の方向へ回転ないし後退可能となることを特徴とする建具用錠。
【発明の詳細な説明】
【技術分野】
【０００１】
本発明は、建具用錠に関し、特にラッチを備えた建具用錠に関する。
【背景技術】
【０００２】
特許文献１及び２には、「ストライク側に固定側の第２磁性体を設け、一方、錠箱内に、前記第２磁性体の極性に対応して反発又は吸着し合う可動側の第１磁性体を有するトリガー及び該トリガーの係合部と係脱可能な係合歯を有する係止レバーとをそれぞれ軸支した建具用錠止装置」が記載されている。
【０００３】
上記の各先行技術は、デッドボルトを備えた建具用錠に対して上記構成を適用したものである。この各先行技術は、扉の立て付けの具合、ドアクローザの作動の不具合等に起因する自動施錠の錠前（例えば電気錠）の致命的欠陥（扉が完全に閉じないこと）を解消することができるから、実に優れた利点を発揮する。そこで、このような利点を、ラッチを備えた建具用錠にも適用して欲しいという要望が出現している。
【特許文献１】特開平５−２２２８７２号公報
【特許文献２】特開平６−１６７１５２号公報
【発明の開示】
【発明が解決しようとする課題】
【０００４】
本発明の主たる目的は、扉を開いた時にラッチが錠箱の内部方向へ引っ込み放しになり、一方、扉を閉じた時には、自動的にラッチが元の状態に戻ることである。これにより、閉扉時、ラッチはストライクの縁部に当たることなく（抵抗を受けることなく）、扉が完全に閉じた瞬間に自動的に突出してストライクに係合する。また、本発明の目的は、簡単な機構により、特に反転ラッチを備えた建具用錠に適用することができることである。さらに、本発明の従たる目的は、ラッチが引っ込んだ時、トリガーが係止レバーを「しっかりと」把持状態に係止すること、各部材を合理的に配設して錠箱の内部空間を有効的に活用することなどである。
【課題を解決するための手段】
【０００５】
本発明の建具用錠は、ストライク側に固定側の磁性体を設け、一方、錠箱内に、前記磁性体の極性に対応して反発又は吸着し合う可動側の磁性体を有するトリガー及び該トリガーの係合部と係脱可能な係合歯を有する係止レバーとをそれぞれ軸支した建具用錠に於いて、前記錠箱にラッチを設け、該ラッチに前記係止レバーの制御歯車と噛合するラックを有するラッチホルダーを一体的に取り付け、開扉時、前記ラッチは、ラッチバネのバネ力に抗して後退すると、ラッチホルダーの後退動に対応して回転する係止レバーの係合歯がトリガーの係止爪に係合し、閉扉時、ストライク側の固定磁性体にトリガーの可動磁性体が対峙すると、トリガーが磁気力によって係止解除の方向へ回転して係止レバーを離し、これによりラッチは、ラッチバネのバネ力により進出してストライクに係合することを特徴とする。
【０００６】
上記構成に於いて、ラッチは反転ラッチであり、該反転ラッチは、ラッチホルダーに案内される垂直ガイドピンに巻装された第１ラッチバネのバネ力に抗して回転すると共に、ラッチホルダーとラッチ枠の後壁との間に設けられた第２ラッチバネのバネ力に抗して後退動することを特徴とする。
【発明の効果】
【０００７】
（１）反転ラッチ２５は、図６で示す開扉時、錠箱６に引っ込み放し状態となる反面、図７で示す閉扉時、ストライク３のケース部の縁部等に衝突することなく、自動的に突出してストライク３に係合する。したがって、扉が中途半端に閉じる恐れがない。
（２）簡単に機構により、反転ラッチを備えた建具用錠に適用することができる。特に、第１ラッチバネが垂直ガイドピンに巻装されている実施例の場合には、引っ込んでいる反転ラッチを確実に元の状態に戻すことができる。
（３）請求項３に記載の発明は、ラッチが引っ込んだ時、トリガーが係止レバーを「しっかりと」把持状態に係止することができる。したがって、部品（係止レバー）を小さくすることができる。
（４）請求項４に記載の発明は、各部材を合理的に配設し、錠箱の内部スペースを有効的に活用することができる。
【発明を実施するための最良の形態】
【０００８】
以下、図１乃至図7に示す本発明を実施するための最良の形態により説明する。
【０００９】
（１）発明の実施の環境
図１は発明の実施の環境を示す概略説明図である。図１に於いて、Ｘは建具用錠で、特に錠箱の外側に位置する操作部材（ノブ、レバーハンドル、プル・プッシュ式ハンドルなど）の操作力により、錠箱内の単数又は複数の作動片が駆動し、これにより、反転ラッチを係止しているロッキングピースがロック解錠の方向へ付勢バネのバネ力に抗して回転する建具用錠Ｘを示す。本発明では、請求項１に記載の特定要件について順次説明するが、細部的な事項(例えば固着手段、取付け孔等)は図面、符号、或いは説明を割愛している。
【００１０】
（２）ストライク
固定側の磁性体５を有するストライク３は、扉枠の縦框１の窪み部２に対して固定的に設けられている。ストライク３は、上下に取付け部４．４を有し、前記磁性体５は、例えば上方の取付け部４の裏側に固定的に設けられている。磁性体の一例としての固定磁石５は、必ずしもストライク３の取付け部４の裏側に設ける必要はなく、実施例如何によっては、トリガーの可動磁石に対峙させるのに相応しい箇所に設けられる。
【００１１】
（３）錠箱
錠箱６は、普通一般の錠箱と同様に、ケース身６ａと、ケース蓋６ｂとから成り、ケース身６ａの前方には、縦長の取付け板７及びフロント８が設けられている。錠箱６には、複数の軸孔、固着具用の孔、螺杆部、ラッチ用窓孔、可動磁性体用開口等が設けられているが、これらの符号は省略する。
【００１２】
しかして、９は錠箱の奥側に縦方向に形成された方形状開口（窓）部で、この開口部９には、２個の押圧片１０．１０が並列している。これらの押圧片１０は錠箱６の外側から錠箱内へと入り込み、図示しない操作部材の操作、例えばプッシュ・プル操作により、上方方向へ移動する。１１は錠箱の取付け板７側で、かつ、上壁寄りの部位に設けられたバネ受け突片で、このバネ受け突片１１は、トリガーバネ１９の一端部を受けている。錠箱６には、特に符号を付さないが、トリガー用支軸、係止レバー用支軸、ロッキングピース３７用支軸がそれぞれ横設軸架されている。また、必要に応じてラッチ用ガイドが形成されている。
【００１３】
さらに、複数個の開口部或いは切欠部を有するコ字型状のラッチ枠１２が、錠箱６内に固定的に設けられている。加えて、底壁の奥側（フロント８に対する後端部側）には、内側に弧状に隆起する支持部１３が形成され、該支持部１３は、ロッキングピース３７を作動させるための駆動片３８を支持する。
【００１４】
（４）トリガーとトリガーバネ
錠箱６内には、ストライク３側の固定磁石５の極性に対応して反発又は吸着し合うブーメラン型或いは「へ」の字状型のトリガー１５が軸支されている。本実施例のトリガー１５は、図１、図３で示すように、錠箱６の前上隅部に軸支され、全体として「左手の親指を斜め下向きにし、人差し指を開いて前方に伸ばした指開き型形状」に形成されている。
【００１５】
ところで、トリガー１５の磁性体は、固定磁石５の極性に対応して反発又は吸着し合う材質で形成されたトリガーそのものでも良いが、本実施例では、親指に相当する短い部分１５ａに固定磁石５の極性に対応して反発し合う可動磁石16が一体的に取付けられている。可動磁石16と固定磁石５は、共に同磁極で反発し合う永久磁石である。
【００１６】
一方、短い部分１５ａに角度方向に連設する人差し指に相当する長い部分１５ｂには、下向きに鉤状の第１係止爪１７と、該第１係止爪に対して所定間隔離間する小突片状の第２係止爪１８とがそれぞれ形成されている。第１係止爪１７は指状の先端部に鉤状に形成され、第２係止爪１８は、指の第１関節当たり（奥側）の部位に小突片状に形成されている。
【００１７】
これらの係止爪１７、１８は、係止レバー２１の係合歯（例えばラチェト歯）２３と段階的に係脱可能であり、特に係止レバー２１を係止する係止時には、両方で該係止レバー２１を把持状態に係止する。
【００１８】
さらに、トリガー１５は、その短い部分１５ａの方にトリガーバネ１９の他端部を受けるバネ受け板部１５ｃを有している。トリガーバネ１９は、その中央部は支軸に巻装されといると共に、一端部は、前述したように、錠箱６側のバネ受け突片１１に支持され、他端部は、前記バネ受け板部１５ｃに支持されている。したがって、トリガー１５はトリガーバネ１９のバネ力により、係止レバー２１の係合歯２３に係合する方向、すなわち、図１、図7等を基準にすると、時計方向に常時付勢されている。
【００１９】
（５）係止レバー
錠箱６内には、後述するラッチホルダーのラックと制御歯車（例えばセクター歯車）との噛合関係で回転すると共に、前述したトリガー１５の係合部１７．１８と係脱可能な係止レバー２１が軸支されている。
【００２０】
係止レバー２１は、トリガー１５の係合部１７．１８側とラッチ枠１２の間のスペースに配設されている。係止レバー２１の枢支される側には、制御歯車２２の一例としてのセクター歯車が設けられ、その半径外方向に延びている自由端部の端面には、係合歯２３の一例としてのラチェト歯が形成されている。
【００２１】
係止レバー２１は、ラッチを保持するラッチホルダー２７が水平方向に進退動すると、ラッチホルダー２７のラック３３と制御歯車２２との噛合関係により回転する。また、トリガー１５が係止解除の方向へ回転すると、係合部を有する自由端部が解放され、バネ力で前進するラッチホルダー２７の駆動力により回転可能となる。
【００２２】
（６）ラッチ枠、ラッチ、ラッチホルダー等
コ字型状のラッチ枠１２は、上壁（一方の水平壁）に係止レバー２１の制御歯車２２が入り込む開口部或いは切欠部を有している。一方、下壁（他方の水平壁）にロッキングピース用の先端係止部が入り込む開口部或いは切欠部を有している。
【００２３】
さらに、上壁及び下壁に直交方向に連設する垂直壁の一部は、ラッチバネの後端部を受けるバネ受け部となっている。ラッチ２５は、「反転ラッチ」を採用している。反転ラッチ２５の構成は、例えば特開平１１−１４１２０７号に記載されているが、本実施例の反転ラッチ２５には、図４で示すように、後端部の対向壁部に設けられた垂直ガイドピン２６を介してラッチホルダー２７が一体的に設けられている。
【００２４】
また、垂直ガイドピン２６には、第１ラッチバネ２８の中央部が巻装され、その一端部は反転ラッチ２５の内壁面に、一方、他端部はラッチホルダー２７の垂直壁部２７ａの内壁面にそれぞれ圧接している。したがって、反転ラッチ２５は第１ラッチバネ２８のバネ力に抗して回転可能である反面、閉扉時、第１ラッチバネ２８のバネ力により元の位置へと確実に回転する。
【００２５】
さらに、反転ラッチ２５は、取付け板７及びフロント８に形成したラッチ用窓孔に密着嵌合するラッチ支持板３０に支持されていると共に、下端面にロッキングピースの先端係止部に当接する突起状の係合受部３１を有している。
【００２６】
ラッチホルダー２７は、図５で示すように、前述した垂直壁部２７ａに直交する上壁部２７ｂと下壁部２７ｃとを有し、これらの上壁部２７ｂ・下壁部２７ｃには、垂直ガイドピン２６を案内する上下一対の水平案内長孔３２、３２が形成されている。
【００２７】
しかして、本実施例では、ビニオン機能を有する係止レバー２１がラッチホルダー２７よりも上方に配設されていることから、前記上壁部２７ｂは、下壁部２７ｃよりも長く、ラッチ枠１２の上壁部の内面に沿って所要量延びている。そして、長板状の上壁部２７ｂには、係止レバー２１の制御歯車２２と噛合するラック３３が長手方向に配列されている。
【００２８】
またラッチホルダー２７は、錠箱６、ラッチ枠１２、ラッチホルダー自体等に設けられた案内部を介して進退動可能である。またラッチホルダー２７は、垂直壁部２７ａの内端部に該垂直壁部と交差するバネ受壁部２７ｄを有し、このバネ受壁部２７ｄとラッチ枠１２の後壁（垂直壁部）との間には、反転ラッチ２５を押し戻すための第２ラッチバネ３４が設けられている。
【００２９】
（７）主な作用
まず、反転ラッチ２５は、図示しない操作部材の操作により、錠箱内に入り込んでいる押圧片１０の一つが上方方向へ移動すると、該押圧片１０と連係するようにラッチ枠１２の後壁に沿って配設された駆動片３８を介してロッキングピース３７がロック解除の方向へ回転し、回転ないし後退可能となる（図１参照）。
【００３０】
次に、反転ラッチ２５は、開扉時、図２で示すように、矢印Ａ方向へ扉３６を開けるのに伴い、その垂直係合面２５ａがストライク３に押圧されると、第１ラッチバネ２８のバネ力に抗して、かつ、ラッチホルダー２７の上下の水平長孔３２に案内される垂直ガイドピン２６を介して回転すると共に、第２ラッチバネ３４のバネ力に抗してラッチホルダー２７と共に後退動する。
【００３１】
次に、開扉時、反転ラッチ２５は、第２ラッチバネ３４のバネ力に抗して後退すると、反転ラッチ２５を保持するラッチホルダー２７も錠箱６内を第２ラッチバネ３４のバネ力に抗して後退する。この時、ラッチホルダー２７の駆動力により、動力変換機構を介して係止レバー２１は、トリガー１５の係止爪１７、１８に係合する方向へ回転する。
【００３２】
一方、扉３６を開くにつれてトリガー１５の可動磁石１６は、ストライク３の固定磁石５から次第に離れるので、同磁極で反発し合わなくなる（磁気力が作用しなくなる）。したがって、トリガーバネ１９のバネ力により、トリガーバネ１９も係止レバー２１を掴む（係止）する方向へ回転する。この時、ラッチホルダー２７の後退動に対応して回転する係止レバー２１の係合歯２３は、トリガー１５の係止爪１７、１８に段階的に係合し、係止レバー２１はトリガー１５に「把持状態」に係止される（図３参照）。それ故に、反転ラッチ２５は、扉３６を開いている間引っ込み放しの状態になる。
【００３３】
一方、閉扉時、ストライク３側の磁性体５にトリガー１５の磁性体１６が対峙すると、トリガー１５が磁気力によって係止解除の方向へ回転して係止レバー２１を離し、これにより反転ラッチ２５は第２ラッチバネのバネ力により進出してストライク３に係合する（図６、図７参照）。
【００３４】
（８）その他の構成要件
建具用錠Ｘは、図１、図２で示すように、扉２６の自由端部に設けられていると共に、錠箱６の外側に位置する操作部材の操作力により錠機構が作動する。例えば建具用錠Ｘがプッシュ・プル錠である場合に於いて、操作ハンドルをプル（引く）・プッシュ（押す）と、押圧片１０．１０の一方が、図１で示す矢印Ｂ方向へ移動する。本実施例では、ラッチ枠１２の下方の内部空間にロッキングピース３７が水平方向に配設されが、該ロッキングピース３７は、前記押圧片１０が上方に移動すると、錠箱６の支持部１３に支持されている駆動片３８がラッチ枠１２の後壁に沿って上方に所定量移動する。そうすると、ロッキングピース３７は、その中央部が軸支されているので、支軸に巻装された付勢バネ３９のバネ力に抗してロックを解除する矢印Ｃの方向へ回転する。なお、ロッキングピース３７及び付勢バネ３９は、ラッチ２５用の仮施錠手段であり、本発明の従属的な要件である。
【実施例】
【００３５】
発明の実施の形態で示した第１実施例に於いて、トリガー１５の磁性体（可動磁石）１６は、ストライク３の磁性体（固定磁石）５に対して反発し合うが、図８及び図９に示すように、固定磁性体５と可動磁性体１６とが磁性体の極性に対応して吸着し合うようにトリガー１５Ａを錠箱６内に軸支しても良い（これを便宜上「第２実施例」とする）。
【００３６】
この第２実施例のトリガー１５Ａは、図から明らかなように、第１実施例のトリガー１５の可動磁性体１６が支軸を基準にして反対側に位置したようなものであるが、このように構成しても、第１実施例と実質的に同一である。
【産業上の利用可能性】
【００３７】
本発明は、主に建具や錠前の業界で利用される。
【図面の簡単な説明】
【００３８】
図１乃至図７は本発明の最良の実施例（第１実施例）を示す各説明図。図８及び図９は本発明のストライク側の固定磁性体とトリガー側の可動磁性体とが、磁性体の極性に対応して吸着し合う第２実施例を示す各説明図。
【図１】第１実施例の概略説明図（反転ラッチに適用）。
【図２】実施の環境状態を平面から見た一部概略断面の説明図。
【図３】要部（トリガーと係止レバー）の説明図。
【図４】要部（特にラッチ、ラッチホルダー、各バネ）の説明図。
【図５】要部（特にラッチホルダー、垂直ガイドピン、各バネ）の斜視からの説明図。
【図６】開扉時の説明図。
【図７】閉扉時の説明図。
【図８】第２実施例に於いて、開扉時の要部の説明図。
【図９】第２実施例に於いて、閉扉時の要部の説明図。
【符号の説明】
【００３９】
Ｘ…建具用錠、１…縦框、２…窪み部、３…ストライク、５…磁性体（固定磁石）、６…錠箱、１０…押圧片、１１…バネ受け突片、１２…ラッチ枠、１５…トリガー、１６…磁性体（可動磁石）、１７…第１係止爪、１８…第２係止爪、１９…トリガーバネ、２１…係止レバー、２２…制御歯車、２３…係合歯、２５…ラッチ、２６…垂直ガイドピン、２７…ラッチホルダー、２８…第１ラッチバネ、３３…ラック、３４…第２ラッチバネ、３７…ロッキングピース、３８…駆動片。
【図１】
2005350898.tif 000003
【図２】
2005350898.tif 000004
【図３】
2005350898.tif 000005
【図４】
2005350898.tif 000006
【図５】
2005350898.tif 000007
【図６】
2005350898.tif 000008
【図７】
2005350898.tif 000009
【図８】
2005350898.tif 000010
【図９】
2005350898.tif 000011